(57)【要約】【課題】媒体の認証および複製防止の努力を支援するための、記録可能な媒体１１０、媒体１１０を形成する装置、および、媒体を利用する方法。【解決手段】記録可能な媒体１１０は、アドレス可能なデータ記録範囲１１２を形成するように配置された複数の同心のトラックを備える。記録不可能な区域１１４（記録可能な媒体識別、または、ＲＭＩＤ）であるデータ記録範囲内に埋め込まれたトラックは、区域にデータを記録するために試みられる記録操作を許可し、そして、その後のリードバック操作の間に、データのリードバックの成功を防ぐように構成される。好ましくは、エンボスは、記録可能な媒体内のピットおよびランドの金属層、光学的に対照な印がある層、または、着色層のような、ＲＭＩＤ区域１１４に付けられる。エンボスは、区域に書き込まれる試みがされたデータを、リードバックする能力を妨げる。
2006517713.tif 000002
【特許請求の範囲】
【請求項１】
アドレス可能なデータ記録範囲を形成するように配置された複数の同心円状のトラックと、
前記データ記録範囲内に一つ以上の選択されたアドレスで埋め込まれた記録不可能な区域とを備え、
前記記録不可能な区域は、前記区域に以前に書き込まれた、または、書き込まれることが試みられたデータのリードバックの成功を防ぐように構成されることを特徴とする未記録の記録可能媒体。
【請求項２】
光ディスクであることを特徴とする請求項１に記載の記録可能媒体。
【請求項３】
前記光ディスクは、デジタル多用途ディスク（ＤＶＤ）互換フォーマットを有することを特徴とする請求項２に記載の記録可能媒体。
【請求項４】
前記記録不可能な区域は、前記記録可能な媒体の製造の間に供給されるエンボスを備えることを特徴とする請求項１に記載の記録可能媒体。
【請求項５】
前記エンボスは、前記記録可能な媒体内にピットおよびランドの金属層を備えることを特徴とする請求項４に記載の記録可能媒体。
【請求項６】
前記エンボスは、前記記録可能な媒体内に光学的に対照な印がある層を備えることを特徴とする請求項４に記載の記録可能媒体。
【請求項７】
前記エンボスは、着色層を備えることを特徴とする請求項４に記載の記録可能媒体。
【請求項８】
アドレス可能なセクタの範囲は、前記データ記録範囲を供給する複数の前記トラックによって定義され、そして、
前記記録不可能な区域は、少なくとも一つの前記アドレス可能なセクタを備えることを特徴とする請求項１に記載の記録可能媒体。
【請求項９】
複数の前記トラックによって定義されるアドレス可能なセクタの範囲は、前記トラックの周波数変調されたプリグルーブのウォブルによって定義され、そして、
前記プリグルーブのウォブルは、前記記録不可能な区域で中断することを特徴とする請求項１に記載の記録可能媒体。
【請求項１０】
前記データ記録範囲に書き込まれたユーザデータを、さらに備えることを特徴とする請求項１に記載の記録可能な媒体。
【請求項１１】
一度データが前記データ記録範囲に書き込まれれば、そのようなデータは消去されることができない、一回書き込みの媒体であることを特徴とする請求項１に記載の記録可能媒体。
【請求項１２】
一度データが前記データ記録範囲に書き込まれても、そのようなデータはその後に消去されることができる、多数書き込みの媒体であることを特徴とする請求項１に記載の記録可能媒体。
【請求項１３】
請求項１に記載の記録可能媒体を形成する装置。
【請求項１４】
未記録記録可能媒体を形成する装置において、
前記媒体は、アドレス可能なデータ記録範囲を形成するように配置された複数の同心円状のトラックと、
前記データ記録範囲内に一つ以上の選択されたアドレスで埋め込まれた記録不可能な区域とを備え、
前記記録不可能な区域は、前記区域へデータを記録するための記録操作を許可するため、および、前記記録操作が成功したかどうかに関わらず、その後のリードバック操作の間に前記データのリードバックの成功を防ぐように構成されることを特徴とする未記録記録可能媒体を形成する装置。
【請求項１５】
前記記録可能媒体は、光ディスクであることを特徴とする請求項１４に記載の装置。
【請求項１６】
前記装置は、前記記録可能媒体の製造の間に供給されるエンボスを付けるエンボス加工機を備えることを特徴とする請求項１４に記載の装置。
【請求項１７】
前記装置は、周波数変調されたプリグルーブのウォブルで前記トラックを供給するための書き込み光線を周波数変調することによって、前記データ記録範囲のアドレス可能なセクタの範囲を定義し、そして、
前記記録不可能な区域は、少なくとも一つの前記アドレス可能なセクタを備えることを特徴とする請求項１４に記載の装置。
【請求項１８】
第二の媒体のアドレス可能なデータ記録範囲内に埋め込まれたアクセス不可能な区域に対応する、第一の媒体のアドレス可能なデータ記録範囲内のディスク認証区域を定義し、
前記アクセス不可能な区域は、それらへデータを記録するための記録操作を許可するため、および、それらから前記データのリードバックの成功を防ぐように構成され、そして、
前記第一の媒体の複製を形成するために前記第二の媒体を利用するその後の試みが、前記第二の媒体からディスク認証情報を読み出すことの不能をもたらすような許可された複製として、前記第一の媒体を識別する前記ディスク認証区域へ前記ディスク認証情報を書き込むことを含むことを特徴とする方法。
【請求項１９】
前記書き込みステップは、前記第一の媒体の前記データ記録範囲の残りの部分へユーザデータを書き込むことをさらに含み、そして、
前記第二の媒体からの前記ディスク認証情報の読み出しの不能により、前記ユーザデータへのアクセスが防止されることを特徴とする請求項１８に記載の方法。
【請求項２０】
前記第一の媒体は、あらかじめ記録済みの光ディスクであり、そして、
前記第二の媒体は、記録可能な光ディスクであることを特徴とする請求項１８に記載の方法。
【請求項２１】
前記第一の媒体は、記録可能な光ディスクであり、そして、
前記第二の媒体も、記録可能な光ディスクであることを特徴とする請求項１８に記載の方法。
【請求項２２】
前記ディスク認証区域は、前記第一の媒体の前記データ記録範囲内に選択されたアドレス可能なセクタの第一のセットを含み、そして、
前記記録不可能な区域は、前記第一のセットに対応する前記第二の媒体の前記データ記録範囲内に選択されたアドレス可能なセクタの第二のセットを含むことを特徴とする請求項１８に記載の方法。
【請求項２３】
前記ディスク認証情報を読み出すことを試みて、前記ディスク認証区域に対応する第三のディスクのデータ記録範囲内の位置にアクセスすることを、さらに含むことを特徴とする請求項１８に記載の方法。
【請求項２４】
前記ディスク認証情報が成功裏に読み出され、そして、前記第三のディスクの残りの部分へのアクセスが許可されている場合、前記第一のディスクの許可された複製として前記第三のディスクを識別することを、さらに含むことを特徴とする請求項２３に記載の方法。
【請求項２５】
前記ディスク認証情報が不成功に読み出され、そして、前記第三のディスクの残りの部分へのアクセスが拒絶されている場合、前記第一のディスクの許可されていない複製として前記第三のディスクを識別することを、さらに含むことを特徴とする請求項２３に記載の方法。
【発明の詳細な説明】
【技術分野】
【０００１】
本発明は、一般に、データ記憶システムの分野に関し、より詳しくは、限定されないが、あらかじめ記録済みの光ディスクのようなオリジナルの媒体に書き込まれたデータを、記録可能な光ディスクのような未記録の（ｂｌａｎｋ）記録媒体に許可なく複製することの防止に関する。
【背景技術】
【０００２】
光ディスクは、幅広い種類のデジタル符号化されたデータを記憶するために利用される一種のデータ記録媒体である。そのようなディスクは、通常、実際に持ち運びができ、そして、様々な設定（パーソナルコンピュータ、車載用オーディオプレーヤー、ホームシアターシステム、携帯用個人娯楽端末、家庭用ゲームシステム等）で再生することができる。
【０００３】
典型的な光ディスクは、屈折性基材に光反射性材料の記録層を１層以上埋め込んでなる円形のディスクを備える。各記録層は、ディスクの回転軸線に実質的に垂直な平面と平行に配置され、そして、連続して延びているらせん状のトラックに沿って局在するピットおよびランドの形式でデータを記憶する。データ変換ヘッドは、レーザまたは同様の光を利用して、ピットおよびランド領域が異なった反射率を持つことに基づいてリードバック信号を出力する。復号回路は、適当な再生装置によって出力されるユーザデータを復号する。
【０００４】
リードバックの間に、光ディスクは、典型的に、主チャンネル（ユーザ）データ、サブコード（制御）チャンネルデータ、および、誤り検出／訂正（ＥＤＣ）チャンネルデータを供給する。主チャンネルデータは、固定サイズのユーザデータブロック（セクタ）に、ディスクに記憶された所望のユーザデータ（オーディオ、ビデオ、コンピュータソフトウェア等）を含む。制御チャンネルデータは、セクタヘッダ、タイミング、および他の種類の、主チャンネルデータの再生を容易にする制御情報を含む。ＥＤＣチャンネルデータは、主チャンネルおよび制御チャンネルデータで検出された誤りを訂正するためにＥＤＣ技術（パリティビット、リードソロモン誤り訂正符号等）がどの程度用いられているかを示す。
【０００５】
光ディスクのユーザデータ部分を、様々な読取り装置を利用して容易に読み出すことができ、そして、コンピュータハードディスク、フロッピー（登録商標）ディスク、および、記録可能な光ディスク（一回書き込み、または、多数回書き込み）のような、他の記憶装置に記憶することができる。光ディスク記録装置は、このユーザデータ部分を受け取り、そして、オリジナルのデジタル複製である複製ディスクを供給するために、内蔵されている完全にプログラム化された符号化回路を利用して、追加のアドレス符号、同期データ、誤り検出および訂正符号、変調データ等を追加する。この処理は、デジタル抽出またはリッピングと呼ばれることがある。
【０００６】
既存のディスクを複製するためにますます普及しているもう一つの方法は、アナログ複製と呼ばれることがある方法を利用することである。この場合、オリジナルのディスクは、リードインからリードアウトまで連続して読み込まれてリードバック信号を生成し、次いでこのリードバック信号を用いて、同じピットおよびランドの列を第二の複製のディスクに、連続して直接記録する。従って、複製ディスクは、オリジナルと１ビットも違わない（ビット対ビット）複製を名目上含み、そして、オリジナルに載っている通りに、全ての誤りと複製防止のビットとを含む。
【０００７】
記録可能な光媒体およびインターネットの継続する人気とともに、リッピングまたはアナログ複製による光ディスクの無許可複製が、どこにでもいるユーザによってさえ実行されることがますます容易になっている。従って、媒体認証の技術の改善、および、容易に導入され、そして、検出することと破ることが困難である複製防止の仕組みの必要性が、依然として継続して存在する。
【発明の開示】
【発明が解決しようとする課題】
【０００８】
好ましい実施態様に従って、本発明は、一般に、媒体認証および複製防止の努力を支援するための、記録可能な媒体、媒体を形成する装置、および、媒体を利用する方法を対象とする。
【課題を解決するための手段】
【０００９】
一つの態様によると、何も記録されていない記録可能な媒体は、アドレス可能な記録範囲を形成するように配置された複数の同心円状トラックを備える。データ記録範囲内には、一つ以上の選択されたアドレスで、記録不可能な区域が埋め込まれている。
【００１０】
記録不可能な区域（ここでは、記録可能な媒体の識別、または、ＲＭＩＤ区域とも呼ばれる）は、区域にデータを書き込ませる試みの間、記録操作を許可するように構成される。データを書き込む試みが成功したかどうかに関わらず、記録不可能な区域は、データが、その後のリードバック操作の間に、成功裏に読み出されることを防ぐ。
【００１１】
好ましくは、記録可能な媒体は、一回書き込み、または、多数回書き込みのフォーマットの光ディスクとして特徴付けられる。記録不可能な区域は、記録可能な媒体内に、ピットおよびランドの金属層、光学的に対照な印がある層、または、着色層のような、記録可能な媒体の製造の間に供給されるエンボスを備えているのが好ましい。エンボスは、区域に書き込まれる試みがされたデータをリードバックする能力を妨げる。
【００１２】
好ましくは、アドレス可能なセクタの範囲は、データ記録範囲を供給する複数のトラックによって定義され、そして、記録不可能な区域は、少なくとも一つの前記アドレス可能なセクタを備える。複数のトラックによって定義されるアドレス可能なセクタの範囲は、好ましくは、前記トラックの周波数変調されたプリグルーブのウォブルによって定義され、そして、いくつかの実施態様において、プリグルーブのウォブルは、記録とリードバックの成功を防ぐために、記録不可能な区域で中断する。
【００１３】
もう一つの態様によれば、上述したデータ記録範囲内に埋め込まれた記録不可能な区域を有する、何も記録されていない記憶可能な媒体を形成する装置が供給される。好ましくは、装置は、記録不可能な区域へエンボスを供給するエンボス加工機を備える。
【００１４】
さらにもう一つの態様において、第二の媒体のアドレス可能なデータ記録範囲内に埋め込まれたアクセス不可能な区域に対応するために、第一の媒体のアドレス可能なデータ記録範囲内のディスク認証区域を定義するステップを含む方法が、前述の実施の態様に従って提供される。これまでのように、アクセス不可能な区域は、それにデータを記録するための記録操作を許可するが、それから前記データのリードバックの成功を防ぐように構成されている。
【００１５】
上述の方法は、ディスク認証区域へ、第一の媒体を許可された複製として識別するディスク認証情報を書き込むことをさらに含む。このような方法により、その後、第二の媒体を利用して第一の媒体の複製を形成することを試みると、第二の媒体からディスク認証情報を読み出すことができなくなる。好ましくは、第一の媒体は、あらかじめ記録済みの光ディスクとして定義され、そして、第二の媒体は、記録可能な光ディスクとして定義されるが、その代わりに第一の媒体の方を記録可能な光ディスクとして定義することもできる。
【発明を実施するための最良の形態】
【００１６】
これらと様々な他の特徴、および、主張された発明を特徴付ける利点が、以下の詳細な記述を読むことで、および、関連した図面を参照することで、明らかになるだろう。
【００１７】
図１は、第一の光ディスク１００を示す。好ましくは、第一のディスク１００は、あらかじめ記録済みのディスクであり、すなわち、ディスクは、（破線で境界を示す）データ記録範囲１０２に記録済みのデータを記憶する。データ記録範囲１０２は、一連のピットおよびランドとしてディスク１００の内部反射層内に埋め込まれる。ピットおよびランドは、ディスク１００の周りに円周で広がる複数の同心円状のトラックに沿って配置される。トラックは、ただ一つの連続するらせんを形成することができ、または、分離した入れ子になった輪として配置することができる。
【００１８】
データ記録範囲１０２に記録済みのデータは、一つ以上の埋め込まれた記録層上の、オーディオ、ビデオ、コンピュータＲＯＭプログラミング、または、それらの任意の組み合わせのデータでよい。データは、従来の方法で、トラックに沿ったアドレス可能なセクタに配置される。
【００１９】
好ましくは、第一のディスク１００は、名目上同一のディスクの集団が供給されるように、マスタリング／スタンパ／複製処理を利用して生成される。議論のために、第一のディスク１００は、高密度ＤＶＤ（ＨＤ−ＤＶＤ）のような、選択されたフォーマットのデジタル多用途ディスク（ＤＶＤ）である場合を検討する。
【００２０】
第一のディスク１００は、データ記録範囲１０２内に埋め込まれた、あらかじめ記録済みの識別（ＰＲＩＤ）区域１０４を含むことが、図１に示されている。ここで、ディスク認証区域とも呼ばれるＰＲＩＤ区域は、データ記録範囲１０２内のディスク１００上の所定の位置にあることができ、そして好ましくは、一つ以上の連続的な、または、間隙を介したセクタを備える。
【００２１】
製造工程の間に、本物のオリジナルディスクとしてディスクを識別するのに十分である、選ばれたディスク識別情報がＰＲＩＤ区域１０４に書き込まれる。そのような情報は、いかなる形式も取ることができ、そして、いかなる所望の変調フォーマットも利用することができる。下記に議論するように、リードバック操作の間に、ＰＲＩＤ区域１０４は、リードバックシステムによりアクセスされ、そして、ＰＲＩＤ区域の内容の検証がされると、ディスクは、「解除される」（すなわち、リードバックシステムは、データ記録範囲１０２の残りの部分へアクセスを始める）。
【００２２】
図２は、何も記録されていない記録可能な媒体（第二のディスク）１１０を示す。第二のディスク１１０は、第一のディスク１００のあらかじめ記録済みの情報は含まないが、第一のディスク１００に一般に準拠するフォーマットを有する。従って、本例では、第二のディスク１１０は、データ記録範囲１１２を持った、（記録可能なＨＤ−ＤＶＤディスクのような）何も記録されていない記録可能なＤＶＤ互換ディスクを備えるものとして検討する。
【００２３】
データ記録範囲１１２は、一連の同心円状のトラック（連続するらせん、または、分離した入れ子になった輪）を同様に備える。好ましくは、トラックは、記録システム（下記図６参照）に追跡および制御情報を供給する周波数変調されたプリグルーブのウォブルで供給され、そして、ディスク１１０に書き込まれるデータの様々なセクタの位置をあらかじめ定義する。
【００２４】
ユーザが第二のディスク１１０を利用して第一のディスク１００の無許可複製を作成することを防止することが望ましい。そのような無許可複製を失敗させるために、第二のディスク１１０は、第一のディスク１００のＰＲＩＤ区域１０４と同じ位置にある記録可能な媒体の識別（ＲＭＩＤ）区域１１４を含む。
【００２５】
一般的に、本明細書において記録不可能な区域とも呼ばれるＲＭＩＤ区域１１４は、それらに書き込まれたデータの読み取りの成功を防ぐように構成されている。好ましくは、エンボスをＲＭＩＤ区域１１４に用い、さもないと区域へ成功裏に書き込まれるデータのリードバックを妨げるか、または、別の方法で区域へのデータの書き込みを防ぐ。エンボスは、多くの方法で設けることができる。
【００２６】
いくつかの好ましい実施態様において、第二のディスク１１０は、一回書き込みの媒体として特徴付けられ、そのため一度データがデータ記録範囲１１２に書き込まれると、そのようなデータはその後に消去することができない。図３に示されるように、そのような媒体の一つの構成は、反射層１１８に隣接する着色層１１６を用いる。参考までに、リードバックのアクセスは、ディスク１１０の底から上の方向で達成される。
【００２７】
着色層１１６が、書き込み変換器の光に選択的に露出される時に、永久的な縞（暗い部分１２０）が選択的に形成される。縞１２０および反射層１１８の反射部分は、それらの間に、再生中にピットおよびランドとして機能する異なった反射率を有する。従って、エンボスを供給する比較的、直接的な一つの方法は、（ＰＲＩＤ区域情報に対応していない）所望のパターンをＲＭＩＤ区域１１４にあらかじめ書き込み、そして、影響を受けないデータ記録範囲１１２の残りの部分をそのままにしておくことである。
【００２８】
他の好ましい実施態様において、（誇張された方法で）図４に描かれるように、エンボスは、ＲＭＩＤ区域１１４に、あらかじめ記録済みのピットおよびランドの局在した層を備える。あらかじめ記録済みのピットおよびランドは、データ記録範囲１１２の残りの部分として、同じまたは異なった内部表面上にあることができる。認識されるであろうように、ピットおよびランドは、それらにデータを書き込む、または、それらからデータを消去する、その後の試みに影響されない。従って、図４の実施態様の利用の利点は、データ記録範囲１１２の残りの部分が、（示したように）一回書き込み構成、または、（消去可能で、かつ、書き換え可能である）多数回書き込み構成のいずれかを有することができることである。関連する実施の態様は、ＲＭＩＤ区域１１４に、（図３の着色層１１６の代わりに）同じ一般の結果を供給する反応しない層または同様の層を用いる。
【００２９】
なお他の好ましい実施態様は、ＲＭＩＤ区域１１４に、以前に設定されたエンボスを特に利用していないが、違った形で、区域へデータを書き込み、区域からデータを読み込む試みが中断されるように、ＲＭＩＤを構成する。一つの好ましいやり方において、前述のプリグルーブのウォブルは、ＲＭＩＤ区域１１４で中断または変更されるが、データ記録範囲１１２の残りの部分は、依然として影響を受けないままである。このような方法で、記録システムは、ＲＭＩＤ区域１１４にデータを記録するための関連したセクタのアドレスを確実に追跡することができない。このやり方は、一般に、図５によって表される。
【００３０】
有利なことに、第二のディスク１１０は、これから記載されるであろう方法で第一のディスク１００の内容を保護する。図６は、一般に、第二のディスク１０２のデータ記録範囲１１２へデータを記録するために構成される記録システム１３０を図解する。この場合、システム１３０は、ＤＶＤ−Ｒタイプのレコーダを構成するものとして検討する。
【００３１】
記録システム１３０は、情報源１３４からの入力データを処理する信号処理ブロック１３２を含む。信号処理ブロック１３２は、第二のディスク１１０のデータ記録範囲１１２へ符号化されたデータを書き込むために、順に、アクチュエータ１３８、光放射変換器１４０、および、ディスクモータ１４２を制御する制御ブロック１３６へ符号化されたデータを供給する。従って、システム１３０は、層１１６に（１２０のような）縞を形成する働きをする（図３参照）。
【００３２】
ユーザが、第二のディスク１１０へ第一のディスク１００のデータ記録範囲１０２の内容を複製することを試みた場合、ある時点で、記録システム１３０は、ＲＭＩＤ区域１１２へＰＲＩＤ区域１０４の内容を書き込むことを試みるように指示されることがあり得るだろう。
【００３３】
しかしながら、この試みの終わりに、記録されたＲＭＩＤ区域１１４の内容は、ＰＲＩＤ区域１０４と一致しない。ＲＭＩＤ区域１１４が、前記区域へデータを記録するために試みられた記録操作を許可するために構成される一方、ＲＭＩＤ区域は、記録操作が実際に成功したかどうかに関わらず、その後のリードバック操作の間に、前記データのリードバックの成功を防ぐ。
【００３４】
例えば、ＲＭＩＤ区域１１４の内容は、変化しないままであってもよく（すなわち、書き込みの試みが失敗し、そして、ＲＭＩＤ区域は、以前のとおりのままである）、ＲＭＩＤ区域１１４の前から存在する内容は、ＲＭＩＤ区域の結果の内容を理解できなくさせる等の働きをしてもよい。
【００３５】
ユーザが無許可複製（第二のディスク１１０）を図７に示されるような読み取りシステム１５０にセットする場合、読み取りシステム１５０は、ＲＭＩＤ区域１１４から正しい許可データを検出しないであろうし、そして、ディスクアクセスは、拒絶されるであろう。好ましくは、このことは次の通りに実行される。
【００３６】
読み取りシステム１５０は、パーソナルコンピュータのような、入力／出力（Ｉ／Ｏ）装置１５４と通信するリードバック処理装置１５２を含む。リードバック処理装置１５２は、アクチュエータ１５６、光ピックアップ（変換ヘッド）１５８、および、ディスクモータ１６０を制御する。リードバック操作の間に、リードバック処理装置１５２は、本来記憶されたデータを装置１５４に供給するために、ヘッド１５８から変調された信号を処理する。
【００３７】
ディスク初期化の間に、装置１５４は、ＲＭＩＤ区域１１４のリードバック操作を実行するために、その区域へヘッド１５８を動かすためのシーク処理を命令する。この命令に対する読み取りシステム１５０の実際の応答は、ＲＭＩＤ区域１１４の構成による。すなわち、あらかじめ記録済みのデータ（例えば、図４）、または、理解できないデータ（例えば、図３で上書きされたデータ）が、戻されたり、または、システムはデータをリードバックすることを試みるが、命令を成功裏に完了することができず、多くの再試行の後に、誤り状態を報告したりすることになる（例えば、図５）。
【００３８】
従って、Ｉ／Ｏ装置１５４は、リードバック処理装置１５２が、第一のディスク１００のＰＲＩＤ区域１０２から必要不可欠なディスク認証情報を戻すことができないことに基づいて、第二のディスク１１０へのさらなるアクセスを拒絶するであろう。その結果に対するユーザメッセージが、この時に装置１５４によって表示されてもよい。
【００３９】
前述の議論に従って、第二のディスク１１０を形成する好ましい方法は、今から簡潔に議論されるであろう。当業者が認識するであろうように、記録可能な媒体は、一回書き込みか多数回書き込みのフォーマットかに関わらず、最初にマスタディスクが所望のパターンで形成され、スタンパがマスタディスクから成長し、そして、スタンパが最終の複製ディスクを形成するための射出成型処理に利用される、マスタリング／スタンプリング／複製処理を利用してしばしば形成される。（ハイブリッドディスクのような）多層ディスクが生成される場合、個々の射出成型品が、その後に最終ディスクに埋め込まれる個々の層で形成される。
【００４０】
従って、図８は、少なくとも第二のディスク１１０の一部分を構成する射出成型品１７２を形成するために利用される、ディスク形成システム１７０の簡略化した機能図を供給する。システム１７０は、記録システム１７４がデータ記録範囲１１２に前述の周波数変調されたプリグルーブのウォブルを最終的にもたらすフォトレジストまたは同様の材料の層に、プリグルーブのウォブルを形成するために利用されることを除いては、図６に示されるシステム１３０と一般に同様な、実質的に従来式である記録システム１７４を用いる。
【００４１】
システム１７０は、上記のＲＭＩＤ区域１１４のエンボスを供給するために利用されるエンボス加工機１７６を含むことが、さらに示されている。エンボス加工機１７６の構成は、ＲＭＩＤ区域１１４に対して望まれるフォーマットによるであろう。例えば、（例えば、図４のように）ピットおよびランドのあらかじめ記録済みの部分が要求される場合、エンボス加工機１７６は、この所望のピットおよびランドのパターンを、製品１７２に与えるために適切に構成されたスタンパを含む。同様に、局在した影響されない着色が要求される場合、エンボス加工機１７６は、製品１７２にこれを付ける。
【００４２】
あるいはまた、エンボスが、（図３のように）あらかじめ書き込まれる一連の縞を備える場合、エンボス加工機１７６は、図６の記録システム１３０と実質的に同様なフォーマットを一般に取り、そして、あらかじめ書き込まれる所望のパターンを供給するために、ＲＭＩＤ区域１１４の範囲にある着色層１１６（図３）を、選択的に露出するために利用される。
【００４３】
最後に、ＲＭＩＤ区域１１４が中断したプリグルーブのウォブルを有するように構成される場合、エンボス加工機１７６は、ＲＭＩＤ区域１１４と関連する範囲のプリグルーブのウォブルを中断させるためのプリグルーブのウォブルのマスタリング処理の間に、記録システム１７４と通信する制御回路として特徴付けられる。これらの考慮すべき事項の各々は、普通の技量を持つ技術者の技術レベルで十分対応できる範囲にあるので、システム１７０に関する更なる詳細は、前述の議論を考慮すれば不要である。
【００４４】
上記提示された様々な好ましい実施態様が、従来技術を超えるいくつもの利点を供給することが、これから十分理解されるであろう。ＲＭＩＤ区域１１４は、既存の記録可能な媒体の製造処理に、容易かつ安価に組み込まれることができる。
【００４５】
複製されるデータがあるディスク（すなわち、第一のディスク）に典型的に常駐する従来技術の認証および複製防止の仕組みとは違って、ここで提示される実施態様は、前記防止を規定するためにデータが複製されるディスク（すなわち、第二のディスク）の構成を利用する。
【００４６】
従って、もしＲＭＩＤ区域１１４を持つ何も記録されていない記録可能なディスクだけが市場で入手可能であれば、その結果、許可されていない方法で第一のディスクの内容をもう一つのディスクへ複製する有効な方法はない。従って、ＲＭＩＤ区域が、特定のフォーマットに有利に組み込まれ、そして、そのようなフォーマットを規定する標準規格により要求されるようになるものと予測される。
【００４７】
これらの線に沿って、（図３および４の実施態様によるような）ＲＭＩＤ区域１１４のあらかじめ記録済みのデータを、さらにアクセスすることができ、そして、特定のディスクが許可されたディスクであることを検証するために利用することができる。すなわち、たとえＲＭＩＤ区域がＰＲＩＤ区域のデータを戻さなくても、特に、もし固有の通し番号または他の識別子がディスクに供給されれば、戻されたデータが、ディスクが許可された複製であることを指示するために利用されてもよい。このことは、例えば、内容の供給者が、あらかじめ記録済みのディスクの代わりに記録可能なディスクに内容を供給することを選択した場合、有用であるかも知れない。
【００４８】
悪徳な模倣者が、システムをだまし、そして、防止の仕組みを破るための試みで、データ記録範囲１１２内の別の位置へ、ＲＭＩＤ区域１１４のアドレスを「動かす」、または、再分配することを試みることが予期される。しかしながら、このことは、初期化処理の間に、リードバックシステム１３０に、特定のセクタ、または、ＲＭＩＤ区域のデータを読み出すためのセクタへ単にシークさせないで、リードバックシステム１３０がＲＭＩＤ区域の物理位置へ行くことをさらに確実にさせることによって、容易に検出され、そして、防ぐことができる。このことは、戻されたＲＭＩＤ区域のデータと一致するディスク上の既知の点からの特定の位相距離、および／または、時間を検証することによって達成することができる（言い換えれば、ＲＭＩＤ区域１１４は、ディスク１１０上に位置されることになっている物理的な位置であるとして検証される）。
【００４９】
前述の議論を考慮して容易に当業者の心に浮かぶであろうように、多くの技術が、成功したリードバックを利用できないようにさせるためのＲＭＩＤ区域１１４を構成するために利用されることができる。好ましい実施態様が、ＤＶＤ互換ディスクを含む光ディスクを議論する一方、本発明はそれに限定されず、あらゆる種類の媒体に拡大適用することができる。さらに、第一のディスク１００が、あらかじめ記録済みのディスク（すなわち、複製防止機能のあるディスク）であることは、必ずしも要求されず、例えば、第一のディスクは、記録可能なディスク、または、他の媒体の形式であることができる。
【図面の簡単な説明】
【００５０】
【図１】本発明の好ましい実施態様に従った、あらかじめ記録済みの識別（ＰＲＩＤ）区域（ディスク認証区域とも呼ばれる）を有する、あらかじめ記録済みの光ディスク（第一のディスク）の平面図である。
【図２】好ましい実施態様に従った、記録可能な媒体の識別（ＲＭＩＤ）区域（記録不可能な区域とも呼ばれる）を有する、対応する記録可能な光ディスク（第二のディスク）の平面図である。
【図３】好ましい実施態様に従った、図２の記録可能なディスクのＲＭＩＤ区域を示した図である。
【図４】もう一つの好ましい実施態様に従った、図２の記録可能なディスクのＲＭＩＤ区域を示した図である。
【図５】さらにもう一つの好ましい実施態様に従った、図２の記録可能なディスクのＲＭＩＤ区域を示した図である。
【図６】図１のあらかじめ記録済みのディスクから図２の記録可能なディスクへ、データを複製するように構成された記録システムの機能ブロック図である。
【図７】図６のシステムによって図２の記録可能なディスクに記憶されたデータを読み込むために利用される、リードバックシステムの機能ブロック図である。
【図８】図２の記録可能なディスクを形成するために利用されるシステムの機能ブロック図である。
【符号の説明】
【００５１】
１００  第一のディスク
１０２、１１２  データ記録範囲
１０４  ＰＲＩＤ区域
１１０  第二のディスク
１１４  ＲＭＩＤ区域
１１６  着色層
１１８  反射層
１２０  縞
１３０、１７４  記録システム
１３２  信号処理ブロック
１３４  情報源
１３６  制御ブロック
１３８、１５６  アクチュエータ
１４０  光放射変換器
１４２、１６０  ディスクモータ
１５０  読み取りシステム
１５２  リードバック処理装置
１５４  Ｉ／Ｏ装置
１５８  変換ヘッド
１７０  ディスク形成システム
１７２  射出成型品
１７６  エンボス加工機
【図１】
2006517713.tif 000003
【図２】
2006517713.tif 000004
【図３】
2006517713.tif 000005
【図４】
2006517713.tif 000006
【図５】
2006517713.tif 000007
【図６】
2006517713.tif 000008
【図７】
2006517713.tif 000009
【図８】
2006517713.tif 000010
【国際調査報告】
2006517713.tif 000011